(57)【要約】【課題】骨材を容易且つ確実に表乾状態にできる。【解決手段】底板の上面及び下面の間を貫通する複数の第１排水孔を有し、骨材が山積するように収容され、前記複数の第１排水孔が閉じた状態において前記骨材に吸水させるための水が貯留される容器と、前記骨材に吸水させるとき、前記複数の第１排水孔を閉じ、前記骨材を前記容器に残留させて表乾状態とするとき、前記複数の第１排水孔を開く止水部材と、を備える。【選択図】  図１
2013035719.tif 000002
【特許請求の範囲】
【請求項１】
底板の上面及び下面の間を貫通する複数の第１排水孔を有し、骨材が山積するように収容され、前記複数の第１排水孔が閉じた状態において前記骨材に吸水させるための水が貯留される容器と、
前記骨材に吸水させるとき、前記複数の第１排水孔を閉じ、前記骨材を前記容器に残留させて表乾状態とするとき、前記複数の第１排水孔を開く止水部材と、
を備えたことを特徴とする骨材の表乾処理装置。
【請求項２】
前記止水部材は、平板形状を呈するプレートであり、
前記底板は、前記底板の上面及び下面の間の層に前記止水部材が出し入れされる溝を有し、
前記止水部材は、前記複数の第１排水孔を閉じるとき、前記溝全体に挿入され、前記複数の第１排水孔を開くとき、前記溝から引き抜かれる方向に移動する
ことを特徴とする請求項１に記載の骨材の表乾処理装置。
【請求項３】
前記止水部材は、前記複数の第１排水孔に夫々対応する複数の第２排水孔を有する、平板形状を呈するプレートであり、
前記底板は、前記底板の上面及び下面の間の層に前記止水部材が出し入れされる溝を有し、
前記止水部材は、前記複数の第１排水孔を開くとき、前記複数の第２排水孔が夫々前記複数の第１排水孔と対向するように前記溝に挿入され、前記複数の第１排水孔を閉じるとき、前記複数の第２排水孔が夫々前記複数の第１排水孔と対向しないように前記溝に挿入される
ことを特徴とする請求項１に記載の骨材の表乾処理装置。
【請求項４】
前記止水部材は、前記容器に前記水が貯留されて一定時間が経過した後、前記複数の第１排水孔を開く
ことを特徴とする請求項１に記載の骨材の表乾処理装置。
【発明の詳細な説明】
【技術分野】
【０００１】
本発明は、骨材の表乾処理装置に関する。
【背景技術】
【０００２】
例えば、骨材を表乾状態にするための装置として、乾燥用シート（特許文献１参照）が知られている。この乾燥用シートでは、透水層に、吸水した骨材を載置して骨材の表面を乾燥させていた。
【先行技術文献】
【特許文献】
【０００３】
【特許文献１】特開２０１１−７４６５３号公報
【発明の概要】
【発明が解決しようとする課題】
【０００４】
特許文献１の乾燥用シートでは、例えば骨材の表面の水滴を排水できずに、骨材を表乾状態にできない虞があった。
【課題を解決するための手段】
【０００５】
前述した課題を解決する主たる本発明は、底板の上面及び下面の間を貫通する複数の第１排水孔を有し、骨材が山積するように収容され、前記複数の第１排水孔が閉じた状態において前記骨材に吸水させるための水が貯留される容器と、前記骨材に吸水させるとき、前記複数の第１排水孔を閉じ、前記骨材を前記容器に残留させて表乾状態とするとき、前記複数の第１排水孔を開く止水部材と、を備えたことを特徴とする骨材の表乾処理装置である。
【０００６】
本発明の他の特徴については、添付図面及び本明細書の記載により明らかとなる。
【発明の効果】
【０００７】
本発明によれば、骨材を容易且つ確実に表乾状態にできる。
【図面の簡単な説明】
【０００８】
【図１】本発明の第１及び第２実施形態における表乾処理装置を示す斜視図である。
【図２】本発明の第１及び第２実施形態における蓋が取り付けられた状態の表乾処理装置を示す斜視図である。
【図３】本発明の第１実施形態における表乾処理装置を示す平面図である。
【図４】本発明の第１実施形態における表乾処理装置を示す断面図である。
【図５】本発明の第１実施形態における止水部材が引き抜かれた状態の表乾処理装置を示す平面図である。
【図６】本発明の第１実施形態における止水部材が引き抜かれた状態の表乾処理装置を示す断面図である。
【図７】本発明の第１実施形態における骨材に吸水させる際の表乾処理装置を示す断面図である。
【図８】本発明の第１実施形態における骨材を表乾状態にする際の表乾処理装置を示す断面図である。
【図９】本発明の第２実施形態における止水部材を示す斜視図である。
【図１０】本発明の第２実施形態における底板の排水孔と止水部材の排水孔とが相互に対向した状態の表乾処理装置を示す平面図である。
【図１１】本発明の第２実施形態における底板の排水孔と止水部材の排水孔とが相互に対向した状態の表乾処理装置を示す断面図である。
【図１２】本発明の第２実施形態における底板の排水孔と止水部材の排水孔とが相互に対向しない状態の表乾処理装置を示す平面図である。
【図１３】本発明の第２実施形態における底板の排水孔と止水部材の排水孔とが相互に対向しない状態の表乾処理装置を示す断面図である。
【図１４】本発明のその他の実施形態用いられる制御装置の機能を示すブロック図である。
【発明を実施するための形態】
【０００９】
本明細書および添付図面の記載により、少なくとも以下の事項が明らかとなる。
【００１０】
[第１実施形態]
＝＝＝表乾処理装置＝＝＝
図１は、本実施形態における表乾処理装置を示す斜視図である。図２は、本実施形態における蓋が取り付けられた状態の表乾処理装置を示す斜視図である。
【００１１】
表乾処理装置（骨材の表乾処理装置）１００は、骨材５に吸水させたり、表乾状態にしたりする装置である。尚、骨材５、骨材５の吸水、表乾状態の詳細については後述する。
【００１２】
表乾処理装置１００は、容器１、止水部材２を含んで構成される。尚、本実施形態において、Ｘ軸は、止水部材２を溝１１に対して抜き差しする方向（左右方向）に沿う軸であり、止水部材２が溝１１から引き抜かれる方向（一方側）を＋Ｘ方向とし、止水部材２が溝１１に対して挿入される方向（他方側）を−Ｘ方向とする。Ｙ軸は、表乾処理装置１００に対して垂直方向に沿う軸であり、上に向かう方向を＋Ｙ方向とし、下に向かう方向を−Ｙ方向とする。Ｚ軸は、容器１の両側面に対して直行する方向（奥行き方向）に沿う軸であり、手前側の側面に向かう方向を＋Ｚ方向とし、奥側の側面に向かう方向を−Ｚ方向とする。
【００１３】
容器１は、骨材５と水６とが入れられる容器である。尚、容器１の詳細は後述する。止水部材２は、容器１の排水孔１３を閉じたり、開いたりするための部材である。尚、止水部材２、排水孔１３の詳細は後述する。
【００１４】
＝＝＝容器＝＝＝
以下、図１乃至図６を参照して、本実施形態における容器について説明する。図３は、図１を下方向へ向かって見た、表乾処理装置を示す図である。尚、プレート２１の他方側は容器１と重なって見えない状態となっているが、点線で示されている。図４は、図３のＤ１−Ｄ２の断面から奥側へ向かって見た、表乾処理装置を示す断面図である。図５は、図１を下方向へ向かって見た、止水部材が引き抜かれた状態の表乾処理装置を示す図である。図６は、図５のＤ３−Ｄ４の断面から奥側へ向かって見た、表乾処理装置を示す断面図である。
【００１５】
容器１は、例えば４個の横板１４乃至１７、底板１８を有する。
【００１６】
底板１８は、例えば略矩形形状を呈する防水性の板部材である。底板１８は、底板１８の例えば長辺が左右方向に沿い、底板１８の短辺が奥行き方向に沿うように、配置される。底板１８の下面の例えば四隅には、容器１を支持するための脚４が設けられる。底板１８は、底板１８の一方側の縁に開口し、止水部材２を底板１８の上面と下面との間に挿入するための溝１１が設けられる。尚、溝１１の詳細については後述する。底板１８には、底板１８の上面と下面との間を貫通する排水孔（第１排水孔）１３が設けられる。排水孔１３は、容器１に貯留された水を排水するための孔である。尚、排水孔１３の径は、骨材５の粒径よりも例えば短いものとする。ここで、骨材５は、例えばコンクリートを作る際にセメント、水と共に配合される、例えば粒径が５、７、１０ミリメートルの粗骨材である。排水孔１３の径は、骨材５の粒径のうち最小の粒径である例えば５ミリメートルよりも短い４ミリメートルとする。尚、骨材５の詳細については後述する
横板１４乃至１７は、容器１に凹部１２が形成されるように、底板１８の上面における縁に設けられる、例えば略矩形形状を呈する防水性の板部材である。横板１４は、横板１４の下側の縁が例えば底板１８の上面における一方側の縁に例えば接着される。尚、横板１４の奥行き方向の長さは、底板１８の奥行き方向の長さと例えば同様な長さである。横板１５は、横板１５の下側の縁が例えば底板１８の上面における手前側の縁に例えば接着され、且つ横板１５の一方側の縁が例えば横板１４の手前側の縁に例えば接着される。尚、横板１５の左右方向の長さは、底板１８の左右方向の長さと例えば同様な長さである。横板１５の垂直方向の長さは、横板１４の垂直方向の長さと例えば同様な長さである。横板１６は、例えば横板１４と同様な形状を呈する。横板１６は、横板１６の下側の縁が例えば底板１８の上面における他方側の縁に例えば接着され、且つ横板１６の手前側の縁が横板１５の他方側の縁に例えば接着される。横板１７は、例えば横板１５と同様な形状を呈する。横板１７は、横板１７の下側の縁が例えば底板１８の上面における奥側の縁に例えば接着され、且つ横板１７の一方側の縁、他方側の縁は夫々、横板１４の奥側の縁、横板１６の奥側の縁に夫々例えば接着される。
【００１７】
容器１の上側には、蓋３が取り付けられる。蓋３は、凹部１２の開口を覆う例えば防水性の部材である。蓋３は、着脱自在に容器１の上部に取り付けられる。
【００１８】
＝＝＝止水部材＝＝＝
以下、図１乃至図６を参照して、本実施形態における止水部材について説明する。
【００１９】
止水部材２は、容器１の排水孔１３を閉じたり、開いたりするための部材である。止水部材２は、プレート２１、把手２２を有する。
【００２０】
プレート２１は、例えば略矩形の平板形状を呈する例えば防水性の部材である。プレート２１の奥行き方向の長さは、プレート２１を溝１１に挿入できるように、例えば容器１の一方側の面に設けられた溝１１の奥行き方向の長さよりも短いものとする。プレート２１の左右方向の長さは、例えば底板１８の左右方向の長さよりも長いものする。ここで、溝１１の左右方向の深さは、プレート２１によって複数の排水孔１３を閉じられるように、底板１８の一方側の縁から、複数の排水孔１３のうち最も他方側に設けられた排水孔１３までの距離よりも深いものとする。溝１１の上下方向の幅は、溝１１に対してプレート２１を挿入できるように、プレート２１の上下方向の幅よりも長いものとする。
【００２１】
把手２２は、例えば略矩形柱形状を呈する部材である。把手２２は、把手２２の長手方向が奥行き方向に沿った状態で、プレート２１の上面における一方側の縁に取り付けられる。
【００２２】
例えば、プレート２１の他方側の縁が溝１１の他方側の縁と当接するように、止水部材２を溝１１の全体に挿入した場合、複数の排水孔１３は閉じた状態になる。一方、例えば、止水部材２が容器１から引き抜かれる方向に移動した場合、複数の排水孔１３は開いた状態になる。
【００２３】
＝＝＝骨材＝＝＝
以下、図１乃至図８を参照して、本実施形態における骨材について説明する。図７は、本実施形態における骨材を吸水させる際の表乾処理装置を示す断面図である。尚、図７は、骨材と水とが入れられた状態の表乾処理装置を図３のＤ１−Ｄ２の断面から奥側へ向かって見た図である。図８は、本実施形態における骨材を表乾状態とする際の表乾処理装置を示す断面図である。尚、図８は、骨材が入れられた状態の表乾処理装置を図５のＤ３−Ｄ４の断面から奥側へ向かって見た図である。
【００２４】
骨材５は、前述の通り、例えばコンクリートを作る際にセメント、水と共に配合される例えば粒径が５ミリメートル以上の粗骨材である。
【００２５】
例えば、コンクリートの強度は水とセメントとの比率により決まる。よって、所定の強度のコンクリートを作る際、水、セメントと共に配合される骨材５の吸水量を把握して水とセメントとの比率を設定する必要がある。一般に、コンクリートを作る際、例えば骨材５の吸水、骨材５の表面水により水とセメントとの比率の変化を抑えるために、骨材５は、十分に吸水し且つ表面が乾燥した状態（以下、「表乾状態」という）で用いられる。
【００２６】
＝＝＝骨材を表乾状態とする方法＝＝＝
以下、図１乃至図８を参照して、本実施形態における表乾処理装置を用いて、骨材を表乾状態とする方法の一例について説明する。尚、例えば、表乾処理装置１００を用いて骨材５に吸水させる場合、骨材５を表乾状態とする場合に分けて説明する。
【００２７】
＜骨材５に吸水させる場合＞
例えば、プレート２１の他方側の縁が溝１１の他方側の縁と当接するように、止水部材２が溝１１の全体に挿入される。複数の排水孔１３は、閉じた状態になる。例えば、骨材５が容器１の凹部１２に山積されるように収容される。骨材５に対して吸水させるための水６が容器１の凹部１２に貯留される。水６は、水６の水面が山積された骨材５よりも例えば上側になるように、容器１の凹部１２に貯留される。尚、この際、複数の排水孔１３は、止水部材２によって閉じられているので、水６は、排水孔１３から排水されずに容器１の凹部１２に貯留されたままの状態となる。骨材５は、前述の通り、例えば粒径が５ミリメート以上の粗骨材であるので、骨材５を容器１に収容した際、骨材５の各粒子間に例えば隙間ができる。その隙間に水６が浸み込んで、骨材５の各粒子は水６を吸水できる状態となる。例えば、骨材５の各粒子が水６を吸水できる状態を一定時間（例えば数日間）継続することによって、骨材５は、十分に吸水し且つ表面が湿った状態（以下、「湿潤状態」という）となる。
【００２８】
＜骨材５を表乾状態にする場合＞
例えば、骨材５に吸水させるための水６が、骨材５を収容した容器１に貯留されてから一定時間（例えば数日間）経過した後、止水部材２を溝１１から引き抜かれる方向に移動させる。複数の排水孔１３のうち、少なくとも何れかの排水孔１３は、開いた状態になる。例えば、容器１の凹部１２に貯留された水６は、開いた状態の排水孔１３から排水される。尚、前述の通り、排水孔１３の径が、骨材５の粒径よりも短いので、骨材５は容器１の凹部１２に残留する。その後、骨材５の各粒子の表面水が時間の経過と共に蒸発して、例えば水６を排水してから１９時間程度経過した後、骨材５が表乾状態となる。尚、例えば、風雨の影響を避けるために、蓋３を容器１に取り付け状態で、骨材５を表乾状態としてもよい。
【００２９】
前述したように、容器１には、骨材５が山積されるように収容される。容器１には、骨材５を吸水させるための水６が貯留される。容器１の底板１８には、底板１８の上面及び下面の間を貫通する複数の排水孔１３が設けられる。骨材５を吸水させる場合、止水部材２は、排水孔１３を閉じる。骨材５を容器１に残留させて表乾状態とするとき、止水部材２は、排水孔１３を開く。よって、容器１に骨材５を収容した状態で、排水孔１３を閉じたり開いたりすることによって、骨材５に吸水させたり、表乾状態にしたりできる。従って、骨材５を容易且つ確実に表乾状態にする骨材５の表乾処理装置１００を提供できる。
【００３０】
又、止水部材２は、プレート２１を有する。底板１８には、底板１８の上面及び下面の間に止水部材２を出し入するための溝１１が設けられる。例えば、複数の排水孔１３を閉じる場合、止水部材２は溝１１の全体に挿入される。一方、例えば、複数の排水孔１３のうち少なくとも何れかの排水孔１３を開く場合、止水部材２を溝１１から引き抜かれる方向に移動させる。よって、止水部材２を溝１１の全体に挿入したり、止水部材２を溝１１から引き抜かれる方向に移動させたりする簡単な作業で、排水孔１３を閉じたり、開いたりできるので、骨材５の表乾処理装置１００の利用性を向上できる。
【００３１】
又、容器１に水６が貯留されてから一定時間（例えば数日間）が経過した後、複数の排水孔１３は開かれる。よって、骨材５の各粒子に対して十分に水６を吸水させた後に骨材５の表面を乾燥させることができるので、骨材５を確実に表乾状態にすることができる。
【００３２】
[第２実施形態]
＝＝＝表乾処理装置＝＝＝
本実施形態における表乾処理装置１００ｂは、第１実施形態における止水部材２を、止水部材２ｂに変更したものである。尚、止水部材２ｂ以外の構成は、第１実施形態における表乾処理装置１００と同様であるので、その説明は省略する。
【００３３】
以下、図１、図２、図９乃至図１３を参照して、本実施形態における表乾処理装置について説明する。図９は、本実施形態における止水部材を示す斜視図である。図１０は、図１を下方向へ向かって見た、底板の排水孔と止水部材の排水孔とが相互に対向した状態の表乾処理装置を示す図である。尚、プレート２１ｂの他方側は容器１と重なって見えない状態となっているが、点線で示される。排水孔２３ｂは、容器１と重なって見えない状態となっている。図１１は、図１０のＤ５−Ｄ６の断面から奥側へ向かって見た、表乾処理装置を示す断面図である。尚、止水部材２ｂの断面は、説明の便宜上、黒塗りされている。図１２は、図１を下方向へ向かって見た、底板の排水孔と止水部材の排水孔とが相互に対向しない状態の表乾処理装置を示す図である。尚、プレート２１ｂの他方側、排水孔２３ｂは容器１と重なって見えない状態となっているが、点線で示される。図１３は、図１２のＤ７−Ｄ８の断面から奥側へ向かって見た、表乾処理装置を示す断面図である。尚、止水部材２ｂの断面は、説明の便宜上、黒塗りされている。
【００３４】
表乾処理装置（骨材の表乾処理装置）１００ｂは、止水部材２ｂを含んで構成される。尚、本実施形態において、Ｘ軸は、止水部材２ｂを溝１１に対して抜き差しする方向（左右方向）に沿う軸であり、止水部材２ｂが溝１１から引き抜かれる方向（一方側）を＋Ｘ方向とし、止水部材２ｂが溝１１に対して挿入される方向（他方側）を−Ｘ方向とする。Ｙ軸は、表乾処理装置１００ｂに対して垂直方向に沿う軸であり、上に向かう方向を＋Ｙ方向とし、下に向かう方向を−Ｙ方向とする。Ｚ軸は、容器１の両側面に対して直行する方向（奥行き方向）に沿う軸であり、手前側の側面に向かう方向を＋Ｚ方向とし、奥側の側面に向かう方向を−Ｚ方向とする。
【００３５】
止水部材２ｂは、容器１の排水孔１３を閉じたり、開いたりするための部材である。
【００３６】
＝＝＝止水部材＝＝＝
以下、図１、図２、図９乃至図１３を参照して、本実施形態における止水部材について説明する。
【００３７】
止水部材２ｂは、容器１の排水孔１３を閉じたり、開いたりするための部材である。止水部材２ｂは、プレート２１ｂ、把手２２ｂを有する。
【００３８】
プレート２１ｂは、例えば略矩形の平板形状を呈する例えば防水性の部材である。プレート２１ｂの奥行き方向の長さは、プレート２１ｂを溝１１に挿入できるように、例えば容器１の一方側の面に設けられた溝１１の奥行き方向の長さよりも短いものとする。プレート２１ｂの左右方向の長さは、例えば底板１８の左右方向の長さよりも長いものする。プレート２１ｂには、底板１８に設けられた複数の排水孔１３に夫々対応する複数の排水孔２３ｂ（第２の排水孔）が設けられる。複数の排水孔２３ｂは夫々、プレート２１ｂにおける、プレート２１ｂの他方側の縁が溝１１の他方側の縁と当接するように、止水部材２ｂを溝１１の全体に挿入した際、複数の排水孔１３と対向する位置に夫々設けられる。複数の排水孔２３ｂは、プレート２１ｂの上面と下面との間を貫通する孔である。複数の排水孔２３ｂの径は夫々、止水部材２ｂを溝１１の全体に挿入した際に対向する複数の排水孔１３夫々の径と例えば同様な長さとする。
【００３９】
把手２２ｂは、例えば略矩形柱形状を呈する部材である。把手２２ｂは、把手２２ｂの長手方向が奥行き方向に沿った状態で、プレート２１ｂの上面における一方側の縁に取り付けられる。
【００４０】
例えば、止水部材２ｂを溝１１の全体に挿入した場合、プレート２１ｂの複数の排水孔２３ｂが夫々、底板１８の複数の排水孔１３と夫々対向する。この場合、複数の排水孔１３は開いた状態になる。一方、例えば、溝１１の全体に挿入した止水部材２ｂを溝１１から引き抜かれる方向に移動させた場合、プレート２１ｂの複数の排水孔２３ｂが夫々、底板１８の複数の排水孔１３と夫々対向しない状態となる。この場合、複数の排水孔１３は閉じた状態になる。
【００４１】
前述したように、止水部材２ｂは、プレート２１ｂを有する。プレート２１ｂには、底板１８に設けられた複数の排水孔１３に対応する複数の排水孔２３ｂが設けられる。底板１８には、底板１８の上面及び下面の間に止水部材２ｂを出し入するための溝１１が設けられる。例えば、複数の排水孔１３を開く場合、複数の排水孔２３ｂが夫々複数の排水孔１３と対向するように止水部材２ｂが溝１１に挿入される。一方、例えば、複数の排水孔１３を閉じる場合、複数の排水孔２３ｂが夫々複数の排水孔１３と対向しないように止水部材２ｂが溝１１に挿入される。よって、止水部材２ｂを例えば溝１１に挿入した状態で、止水部材２ｂを左右方向に移動させることによって、複数の排水孔２３ｂ夫々と複数の排水孔１３夫々とを対向させたり、対向しないようにさせたりすることができる。従って、止水部材２ｂを例えば溝１１に挿入した状態で、止水部材２ｂを左右方向に僅かに移動させる簡単な作業で、排水孔１３を閉じたり、開いたりできるので、骨材５の表乾処理装置１００ｂの利用性を更に向上できる。
【００４２】
[その他の実施形態]
＝＝＝制御装置＝＝＝
第１及び第２実施形態においては、表乾処理装置１００、１００ｂにおいて例えば手動で複数の排水孔１３を閉じたり開いたりする構成について説明したが、これに限定されるものではない。例えば、所定時刻に排水孔１３を自動で開くための制御装置７を設けてもよい。以下、図１４を参照して、本実施形態における制御装置について説明する。図１４は、本実施形態における制御装置の機能を示すブロック図である。
【００４３】
制御装置７は、所定時刻に排水孔１３を自動で開くための装置である。制御装置７は、計時部７１、温度測定部７２、湿度測定部７３、入力部７４、駆動部７５、記憶部７６、制御部７７、報知部７８を有する。
【００４４】
計時部７１は、現在時刻を計時する例えばタイマである。  
温度測定部７２は、容器１における凹部１２の温度を測定するための例えば温度センサである。  
湿度測定部７３は、容器１における凹部１２の湿度を測定するための例えば湿度センサである。
【００４５】
入力部７４は、例えば表乾処理装置１００、１００ｂに収容する骨材５の粒径を入力するためのキーボードである。  
駆動部７５は、溝１１に挿入された規制部材２、２ｂを左右方向に移動させるための例えばアームである。駆動部７５は、把手２２、２２ｂを例えば引き抜かれる方向に移動させたり、挿入される方向に移動させたりする。
【００４６】
記憶部７６は、第１の領域７６ａ、第２の領域７６ｂ、第３の領域７６ｃを有する。第１の領域７６ａには、制御装置７を制御するためのプログラムが記憶される。第２の領域７６ｂには、骨材５を吸水させる時間を示す吸水テーブルと、骨材５を乾燥させる時間を示す乾燥テーブルとが記憶される。吸水テーブルは、例えば、骨材５を吸水させる際の吸水時間が骨材５の粒径に対応付けられている。乾燥テーブルは、例えば、骨材５を表乾状態とする際の乾燥時間が凹部１２の温度、湿度、骨材５の粒径に対応付けられている。第３の領域７６ｃには、入力部７４から入力された骨材５の粒径を示す粒径情報、温度測定部７２で測定された凹部１２の温度を示す温度情報、湿度測定部７３で測定された凹部１２の湿度を示す湿度情報が記憶される。
【００４７】
制御部７７は、第１の領域７６ａに記憶されたプログラムに基づいて制御装置７を制御する。  
報知部７８は、制御部７７の警報命令に応じて警報音を発する例えばスピーカである。
【００４８】
＝＝＝制御装置の動作＝＝＝
以下、図１、図２、図９乃至図１４を参照して、本実施形態に用いられる制御装置の動作について説明する。尚、例えば、表乾処理装置１００ｂを用いて骨材５を表乾状態にとする場合の制御装置７の動作について説明する。排水孔１３を閉じた状態で、骨材５を容器１の凹部１２に収容し、水６を、水６の水面が骨材５よりも例えば上側になるように、容器１の凹部１２に貯留した状態で、第１の領域７６ａのプログラムの実行が開始されたところから説明する。
【００４９】
制御部７７は、第３の領域７６ｃに記憶された粒径情報、第２の領域７６ｂに記憶された吸水テーブルに基づいて、骨材５の吸水時間を把握する。第１の領域７６ａのプログラムが開始されてから骨材５の吸水時間を経過した際、制御部７７は、複数の排水孔２３ｂが夫々複数の排水孔１３と対向しないように止水部材２ｂを例えば引き抜かれる方向に移動させるように駆動部７５を制御する。その際、排水孔１３は開いた状態となり、容器１の凹部１２に貯留された水６は排水される。制御部７７は、第３の領域７６ｃに記憶された粒径情報、温度情報、湿度情報、第２の領域７６ｂに記憶された乾燥テーブルに基づいて、骨材５の乾燥時間を把握する。容器１の凹部１２に貯留した水６が排水されてから、骨材５の乾燥時間を経過した際、制御部７７は、骨材５が表乾状態となったことを示す警報音を報知部７７から発報させる。
【００５０】
前述したように、制御装置７を設けることによって、骨材５を自動的且つ確実に表乾状態にできるので、骨材５の表乾処理装置１００、１００ｂの利用性を更に向上できる。
【００５１】
尚、第１及び第２実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５２】
第１実施形態においては、例えば１枚の止水部材２を底板１８の溝１１に抜き差しする構成について説明したが、これに限定されるもではない。例えば、底板１１における奥行き方向の中央に、左右方向に沿った例えば金属製の補強部材を設けて、溝１１を補強部材よりも奥側の溝と、手前側の溝の例えば２個の溝に分けて、その２個の溝に対して夫々抜き差しされる例えば２枚の止水部材を設けてもよい。その場合、例えば２枚の止水部材を２個の溝から引き抜いた際、容器１に収容された骨材５の荷重によって底板１８が撓んで損傷するのを補強部材によって防止できる。従って、表乾処理装置１００の耐久性を向上できる。
【符号の説明】
【００５３】
１  容器
２、２ｂ  止水部材
３  蓋
４  脚
５  骨材
７  制御装置
１１  溝
１２  凹部
１３、２３ｂ  排水孔
１４、１５、１６、１７  横板
１８  底板
２１、２１ｂ  プレート
２２、２２ｂ  把手
７１  計時部
７２  温度測定部
７３  湿度測定部
７４  入力部
７５  駆動部
７６  記憶部
７６ａ  第１の領域
７６ｂ  第２の領域
７６ｃ  第３の領域
７７  制御部
１００、１００ｂ  表乾処理装置
【図１】
2013035719.tif 000003
【図２】
2013035719.tif 000004
【図３】
2013035719.tif 000005
【図４】
2013035719.tif 000006
【図５】
2013035719.tif 000007
【図６】
2013035719.tif 000008
【図７】
2013035719.tif 000009
【図８】
2013035719.tif 000010
【図９】
2013035719.tif 000011
【図１０】
2013035719.tif 000012
【図１１】
2013035719.tif 000013
【図１２】
2013035719.tif 000014
【図１３】
2013035719.tif 000015
【図１４】
2013035719.tif 000016